(57)【特許請求の範囲】
【請求項１】
シャフトと、
前記シャフトが取り付けられる第１開口部を有するホーゼル部、及びソール部を備え、前記第１開口部から前記ソール部側に延びる内部空間を有するとともに、当該内部空間が前記ソール部に形成された第２開口部において開口するように構成された、ゴルフクラブヘッドと、
第１端部及び第２端部を有し、前記第１開口部に挿入可能な第１アダプタであって、前記第１端部側に前記シャフトが固定されるシャフト用凹部を有するとともに、前記第２端部に第１連結部を有する第１アダプタと、
前記内部空間に収容され、前記第１アダプタの第１連結部と着脱自在に連結する第２連結部を有する、第２アダプタと、
前記内部空間に前記第２開口部から収容され、前記第２アダプタと第１アダプタとを着脱自在に固定する、固定部材と、
を備え、
前記内部空間は、前記第２アダプタを収容する収容部を備え、
前記収容部は、前記第２アダプタの移動を規制するように構成され、
前記ゴルフクラブヘッドの表面には、前記第１開口部と第２開口部との間に、前記収容部と連通し、且つ前記第２アダプタを挿入可能な第３開口部が形成され、
前記第１アダプタの第１連結部は、前記シャフトに対して傾斜するように構成され、
前記第２アダプタの第２連結部は、前記第１アダプタが前記第２アダプタに対して傾斜して連結されるように構成され、
前記第１アダプタの第１連結部と、前記第２アダプタの第２連結部とは、複数の回転位置において連結可能となっており、
前記第２アダプタは、前記収容部内で、複数の回転位置において収容可能となっている、ゴルフクラブ。
【請求項２】
前記第１アダプタは、第１の軸線の両端部に前記第１端部及び前記第２端部を有し、当該第１の軸線に沿って筒状に形成され、前記シャフト用凹部は、前記第１の軸線と交差する第２の軸線に沿って延びており、
前記第２アダプタは、前記第１開口部側を向く第１端部と、前記第２開口部側を向く第２端部とを有し、第１の軸線の両端部に前記第１端部及び前記第２端部が設けられ、前記第２連結部は、前記第１の軸線と交差する第２の軸線に沿って形成されており、
前記第１アダプタの第１連結部と、前記第２アダプタの第２連結部とは、前記第２アダプタの第２の軸線回りの複数の回転位置において連結可能となっており、
前記第２アダプタは、前記収容部内で、当該第２アダプタの前記第１の軸線回りの複数の回転位置において収容可能となっている、請求項１に記載のゴルフクラブ。
【請求項３】
前記第１アダプタの第１連結部は、筒状の突部を有し、
前記第２アダプタの第２連結部は、前記第１アダプタの第１連結部を受け入れる凹部を有している、請求項２に記載のゴルフクラブ。
【請求項４】
前記第２アダプタは、断面多角形状の外周面を有するように形成され、前記収容部内で、前記外周面の少なくとも２つの面が当接しつつ、複数の回転位置において収容可能となっている、請求項１から３のいずれかに記載のゴルフクラブ。
【請求項５】
前記第２アダプタにおいて、前記第１アダプタの第１連結部との連結位置は、前記収容部内における複数の回転位置の中心からずれた位置に配置されている、請求項１から４のいずれかに記載のゴルフクラブ。
【請求項６】
前記第２アダプタは、前記第１開口側を向く面において、前記内部空間内の内壁面と当接することで、位置決め可能に構成されている、請求項１から５のいずれかに記載のゴルフクラブ。
【請求項７】
前記第１アダプタの第１連結部に対して、前記第２アダプタとは異なる傾斜角度で連結可能な少なくとも１つの第３アダプタをさらに備えており、
前記第３アダプタは、前記第３開口部から挿入されて前記内部空間に収容可能となっており、前記固定部材により、前記第１アダプタと連結可能に構成されている、請求項１から６のいずれかに記載のゴルフクラブ。
【請求項８】
前記第１アダプタの第１連結部に対して、前記第２アダプタと同じ傾斜角度で連結可能で、且つ前記第２アダプタとは異なる重量を有する少なくとも１つの第３アダプタをさらに備えており、
前記第３アダプタは、前記第３開口部から挿入されて前記内部空間に収容可能となっており、前記固定部材により、前記第１アダプタと連結可能に構成されている、請求項１から６のいずれかに記載のゴルフクラブ。
【請求項９】
前記ゴルフクラブヘッドは、前記第２及び第３アダプタを収容可能な少なくとも１つの凹部を備えている、請求項７または８に記載のゴルフクラブ。
【発明の詳細な説明】
【技術分野】
【０００１】
本発明は、ゴルフクラブに関する。
【背景技術】
【０００２】
近年、ゴルフクラブヘッドとシャフトとの種々の連結方法が提案されている。例えば、特許文献１には、ゴルフクラブヘッドと、シャフトとの間に２つのアダプタを取付けることで、ゴルフクラブヘッドに対するシャフトの取付け角度を変更できるようにしたゴルフクラブが開示されている。具体的には、次のように構成されている。まず、ホーゼル部とは反対側のソール部に、ホーゼル部と連通する開口が形成されており、この開口からヘッドアダプタが挿入される。一方、シャフトに取付けられるシャフトアダプタは、シャフトに対して傾斜して固定されている。シャフトアダプタは、この状態でホーゼル部に挿入され、ヘッドアダプタと連結される。このヘッドアダプタは、ヘッドに対して複数の回転位置で着脱自在に取付けられるようになっている。シャフトアダプタは、ヘッドアダプタの複数の回転位置で、ヘッドアダプタに対して傾斜した角度で嵌め込まれるようになっている。
【０００３】
したがって、このゴルフクラブでは、ホーゼル部に対するヘッドアダプタの回転位置、及びヘッドアダプタに対するシャフトアダプタの回転位置の２つを調整することができ、これによって、シャフトは、ゴルフクラブヘッドに対して種々の角度で取付けることができる。そして、このようにすることで、ゴルフクラブのライ角、ロフト角、及びフェース角をユーザの好みに合わせて調整することができるようになっている。
【先行技術文献】
【特許文献】
【０００４】
【特許文献１】特表２０１３−５０００５９号公報
【発明の概要】
【０００５】
ところで、上記のようなゴルフクラブでは、ヘッドアダプタをソール部側の開口部から取り付けるため、ソール部の開口部を大きくする必要がある。しかしながら、ソール部側に大きい開口が形成されるため、ヘッドの重心が高くなるという問題があった。
【０００６】
本発明は、上記問題を解決するためになされたものであり、シャフトとゴルフクラブヘッドとを、少なくとも２つのアダプタを用いて、複数の角度で連結可能なゴルフクラブにおいて、ヘッドの重心が高くなるのを防止できるゴルフクラブを提供することを目的とする。
【課題を解決するための手段】
【０００７】
本発明に係るゴルフクラブは、シャフトと、前記シャフトが取り付けられる第１開口部を有するホーゼル部、及びソール部を備え、前記第１開口部から前記ソール部側に延びる内部空間を有するとともに、当該内部空間が前記ソール部に形成された第２開口部において開口するように構成された、ゴルフクラブヘッドと、第１端部及び第２端部を有し、前記第１開口部に挿入可能な第１アダプタであって、前記第１端部側に前記シャフトが固定されるシャフト用凹部を有するとともに、前記第２端部に第１連結部を有する第１アダプタと、前記内部空間に収容され、前記第１アダプタの第１連結部と着脱自在に連結する第２連結部を有する、第２アダプタと、前記内部空間に前記第２開口部から収容され、前記第２アダプタと第１アダプタとを着脱自在に固定する、固定部材と、
を備え、前記内部空間は、前記第２アダプタを収容する収容部を備え、前記収容部は、前記第２アダプタの移動を規制するように構成され、前記ゴルフクラブヘッドの表面には、前記第１開口部と第２開口部との間に、前記収容部と連通し、且つ前記第２アダプタを挿入可能な第３開口部が形成され、前記第１アダプタの第１連結部は、前記シャフトに対して傾斜するように構成され、前記第２アダプタの第２連結部は、前記第１アダプタが前記第２アダプタに対して傾斜して連結されるように構成され、前記第１アダプタの連結部と、前記第２アダプタの第２連結部とは、複数の回転位置において連結可能となっており、前記第２アダプタは、前記収容部内で、複数の回転位置において収容可能となっている。
【０００８】
上記ゴルフクラブにおいては、前記第１アダプタは、第１の軸線の両端部に前記第１端部及び前記第２端部を有し、当該第１の軸線に沿って筒状に形成され、前記シャフト用凹部は、前記第１の軸線と交差する第２の軸線に沿って延びており、前記第２アダプタは、前記第１開口部側を向く第１端部と、前記第２開口部側を向く第２端部とを有し、第１の軸線の両端部に前記第１端部及び前記第２端部が設けられ、前記第２連結部は、前記第１の軸線と交差する第２の軸線に沿って形成されており、前記第１アダプタの第１連結部と、前記第２アダプタの第２連結部とは、前記第２アダプタの第２の軸線回りの複数の回転位置において連結可能となっており、前記第２アダプタは、前記収容部内で、当該第２アダプタの前記第１の軸線回りの複数の回転位置において収容可能となっているものとすることができる。
【０００９】
上記ゴルフクラブにおいて、前記第１アダプタの第１連結部は、筒状の突部を有し、前記第２アダプタの第２連結部は、前記第１アダプタの第１連結部を受け入れる凹部を有しているものとすることができる。
【００１０】
上記ゴルフクラブにおいて、前記第２アダプタは、断面多角形状の外周面を有するように形成され、前記収容部内で、前記外周面の少なくとも２つの面が当接しつつ、複数の回転位置において収容可能となっているものとすることができる。
【００１１】
上記いずれかのゴルフクラブでは、前記第２アダプタにおいて、前記第１アダプタの第１連結部との連結位置は、前記収容部内における複数の回転位置の中心からずれた位置に配置されているものとすることができる。
【００１２】
上記いずれかのゴルフクラブにおいて、前記第２アダプタは、前記第１開口側を向く面において、前記内部空間内の内壁面と当接することで、位置決め可能に構成されているものとすることができる。
【００１３】
上記いずれかのゴルフクラブにおいては、前記第１アダプタの第１連結部に対して、前記第２アダプタとは異なる傾斜角度で連結可能な少なくとも１つの第３アダプタをさらに備えており、前記第３アダプタは、前記第３開口部から挿入されて前記内部空間に収容可能となっており、前記固定部材により、前記第１アダプタと連結可能に構成されているものとすることができる。
【００１４】
上記いずれかのゴルフクラブにおいては、前記第１アダプタの第１連結部に対して、前記第２アダプタと同じ傾斜角度で連結可能で、且つ前記第２アダプタとは異なる重量を有する少なくとも１つの第３アダプタをさらに備えており、前記第３アダプタは、前記第３開口部から挿入されて前記内部空間に収容可能となっており、前記固定部材により、前記第１アダプタと連結可能に構成されているものとすることができる。
【００１５】
上記第３アダプタを用いる場合、例えば、前記ゴルフクラブヘッドが、前記第２及び第３アダプタを収容可能な少なくとも１つの凹部を備えているものとすることができる。
【００１６】
なお、本明細書では、アダプタ間の関係、アダプタとホーゼル部との関係について「連結」と言う文言を使用しているが、連結という文言の意図としては、少なくとも両者が動かないように接していればよく、両者が外力を加えても分離しないことまでは要求されない場合がある。したがって、「連結」という文言のほか、「係合」という文言でこの状態を表すこともある。
【発明の効果】
【００１７】
本発明によれば、シャフトとゴルフクラブヘッドとを、少なくとも２つのアダプタを用いて、複数の角度で連結可能とするゴルフクラブにおいて、ヘッドの重心が高くなるのを防止できる。
【図面の簡単な説明】
【００１８】
【図１】本発明の一実施形態に係るゴルフクラブの斜視図である。
【図２】図１の平面図である。
【図３】連結構造の分解図である。
【図４】両アダプタ、ワッシャ、及び固定部材が装着されたゴルフクラブヘッドをヒール側から見た図である。
【図５】図４のＡ−Ａ線断面図である。
【図６】図５において両アダプタ及び固定部材を取り外した断面図（ａ）、サイド開口部をヒール側から見た拡大図（ｂ）、内部空間の第２領域を上方から見た拡大図（ｃ）である。
【図７】第１アダプタの側面図（ａ）及び断面図（ｂ）である。
【図８】第２アダプタの平面図（ａ）、側面図（ｂ）、及び断面図（ｃ）である。
【図９】第２アダプタの他の形態を示す平面図である。
【図１０】第２アダプタの他の形態を示す平面図である。
【図１１】第２アダプタの他の形態を示す斜視図である。
【図１２】第２アダプタ及び第２領域の他の形態を示す断面図である。
【図１３】第２アダプタ及び第２領域の他の形態を示す断面図である。
【図１４】第１アダプタの他の例を示す側面図である。
【発明を実施するための形態】
【００１９】
以下、本発明に係るゴルフクラブの一実施形態について、図面を参照しつつ説明する。図１は本実施形態に係るゴルフクラブヘッドの斜視図、図２は図１の平面図である。以下の説明では、図面内の向きを基準として説明を行うことがあるが、説明の便宜上のためであり、この向きは発明を限定するものでない。また、以下の説明で軸方向とは、特に断りのない限りは、概ねシャフトの延びる方向であるが、厳密なものではない。
【００２０】
＜１．ゴルフクラブの全体構造＞
図１及び図２に示すように、本実施形態に係るゴルフクラブは、シャフト２０と、その端部に連結されたゴルフクラブヘッド１０（以下、単に「ヘッド」ということがある）とを備えている。また、シャフト２０とゴルフクラブヘッド１０とは、後述する連結構造により連結されており、シャフト２０の軸回りにヘッド１０の回転位置を変更できるように構成されている。以下、各部材について詳細に説明する。
【００２１】
シャフト２０は、中空の管状に形成されており、下方の端部には上述したゴルフクラブヘッド１０が連結され、上方の端部には、図示を省略するグリップが固定されている。
【００２２】
ゴルフクラブヘッド１０は、中空構造であり、フェース部１、クラウン部２、ソール部３、サイド部４、及びホーゼル部５によって壁面が形成されている。フェース部１は、ボールを打球する面であるフェース面を有しており、クラウン部２はフェース部１と隣接し、ヘッド１０の上面を構成する。ソール部３は、ヘッド１０の底面を構成し、フェース部１及びサイド部４と隣接する。また、サイド部４は、クラウン部２とソール部３との間の部位であり、フェース部１のトウ側からヘッド１０のバック側を通りフェース部１のヒール側へと延びる部位である。さらに、ホーゼル部５は、クラウン部２のヒール側に隣接して設けられる円筒状の部位であり、後述する第１アダプタ６が挿入される取付孔（第１開口部）５１を有している。また、この取付孔５１の外周面のヒール側には、後述する第１アダプタ６の回転位置を位置決めするための基準表示５２が施されている（図３及び図４参照）。なお、ここで説明するヘッド１０は、ドライバー又はフェアウェイウッドといったウッド型であるが、そのタイプは限定されず、いわゆるユーティリティ型及びハイブリッド型等であってもよいし、アイアン型でも良い。
【００２３】
＜２．シャフトとゴルフクラブヘッドとの連結構造＞
次に、シャフト２０とゴルフクラブヘッド１０との連結構造について説明する。図３は、連結構造の分解図である。同図に示すように、この連結構造において、シャフト２０とゴルフクラブヘッド１０とは、第１アダプタ６及び第２アダプタ７を介して連結されており、これら両アダプタ６，７は、ワッシャ８及び固定部材９によって、ゴルフクラブヘッド１０内で固定されている。以下、この連結構造について詳述する。
【００２４】
＜２．１  ゴルフクラブヘッドの連結に係る構造＞
まず、ゴルフクラブヘッド１０の構造について、図４及び図５も参照しつつ説明する。図４は、両アダプタ部、ワッシャ、及び固定部材が装着されたゴルフクラブヘッドをヒール側から見た図、図５は図４のＡ−Ａ線断面図、図６は図５において両アダプタ及び固定部材を取り外した断面図（ａ）、サイド開口部をヒール側から見た拡大図（ｂ）、内部空間の第２領域を上方から見た拡大図（ｃ）である。
【００２５】
図５及び図６に示すように、このゴルフクラブヘッドには、ホーゼル部５の取付孔５１から、概ねシャフト２０の軸方向と平行に延びる筒状の内部空間が形成されており、この内部空間は、ソール部３において開口している。以下、このソール部３における開口を、ソール開口部（第２開口部）３１と称することとする。また、以下の説明では、内部空間の延びる方向を軸方向ということがある。
【００２６】
上記内部空間は、ホーゼル部５の取付孔５１から軸方向に並ぶ３つの領域、つまり第１領域５０１，第２領域（収容部）５０２，及び第３領域５０３を有している。第１領域５０１は、円筒状に形成されており、その内壁面は、ホーゼル部５の取付孔５１からソール部３側へいくにしたがって径がやや大きくなるようなテーパ状に形成されている。そして、この第１領域５０１には、上述した第１アダプタ６が挿入される。
【００２７】
第２領域５０２は、主として第２アダプタ７が収容される領域であり、第２アダプタ７に対応して内部形状が直方体状に形成されており、その軸方向の長さは第２アダプタ７の軸方向の長さとほぼ同じである。そして、第１領域５０１との境界には、径方向内方向に延びるフランジ部５０４が形成されており、このフランジ部５０４によって、第２アダプタ７が取付孔５１側に移動しないように、第２アダプタ７の移動を規制している。また、このフランジ部５０４の内径は、後述するように、第１アダプタ６の連結部６２が挿入可能な大きさとなっており、フランジ部５０４を介して、ソール開口部３１側に突出する第１アダプタ６の連結部６２が、第２アダプタ７に連結される。
【００２８】
さらに、第２領域５０２には、軸方向とは直交する方向に延びる挿入空間４１と連通しており、この挿入空間４１は、サイド部４において開口している。以下、このサイド部４における開口を、サイド開口部４２と称することとする。この構成により、第２アダプタ７は、サイド開口部４２から挿入空間４１を経て、内部空間の第２領域５０２に挿入されるようになっている。また、挿入空間４１及び第２領域５０２は、上記のように連通しており、図６（ｃ）に示すように、平面視長方形状に形成されているが、上面の両側縁及び奥端縁の３箇所にはテーパ面５０２１が形成されている。そして、これらテーパ面５０２１のうち、第２領域５０２に位置する部分は、上述したフランジ部５０４の下面に形成されている。
【００２９】
第３領域５０３は、第２領域５０２とソール開口部３１との間で、円筒状に延びている。第３領域５０３の内径は、第２領域５０２の外径よりも小さくなっており、これによって、第２領域５０２と第３領域５０３との境界には段部５０５が形成されている。この段部５０５により、第２領域５０２に収容された第２アダプタ７は、第３領域５０３側への移動を規制されている。また、この第３領域５０３には、ソール開口部３１側からワッシャ８及び固定部材９が挿入される。
【００３０】
＜２．２  第１アダプタ＞
次に、第１アダプタ６について、図７を参照しつつ説明する。図７は第１アダプタの側面図（ａ）及び断面図（ｂ）である。同図に示すように、第１アダプタ６は、筒状に形成された本体部６１と、この本体部６１の上端部に取り付けられ、本体部６１よりも大径の大径部６３と、この本体部６１の下端部に取付けられ、本体部６１よりも小径の筒状の連結部（第１連結部）６２とを備え、これらが一体的に形成されている。本体部６１は第１軸線Ｘ１を軸心とし、この第１軸線Ｘ１に沿って円筒状に延びるような外形を有するとともに、上端側に開口するシャフト用凹部６１１を有している。そして、このシャフト用凹部６１１は、第１軸線Ｘ１と約１度の角度で交差する第２軸線Ｘ２に沿って延びる円筒状の内壁面を有しており、このシャフト用凹部６１１にシャフト２０の下端部が挿入される。シャフト２０は、接着などでこのシャフト用凹部６１１に固定される。これにより、シャフト２０の軸心Ｓ（図１参照）は、第１アダプタ６の第２軸線Ｘ２に沿って延び、第１アダプタ６に対して傾斜して延びるように固定される。
【００３１】
また、第１アダプタ６の本体部６１の外径は、ホーゼル部５の取付孔５１よりも小径であり、ホーゼル部５における内部空間に配置される。一方、大径部６３は、取付孔５１よりも径が大きくなっており、この大径部６３と本体部６１との間には、径方向外方に凸の曲面状の移行部６４が形成されている。そして、この移行部６４が、ホーゼル部５の取付孔５１の内周縁に接する。これにより、第１アダプタ６がホーゼル部５に対して傾斜した場合であっても、移行部６４がホーゼル部５の取付孔５１の内周縁の全周に接触し易くなる。第１アダプタ６は、この移行部６４とホーゼル部５の取付孔５１との接触部分が支持されることで、揺動可能になっている。また、例えば、図３に例示するように、大径部６３の外周面には、複数の回転位置表示６５が施されており（本実施形態では、大径部６３の外周面に９０度おきに４箇所設けられている）、これら回転位置表示のいずれかを、ホーゼル部５の取付孔５１の開口周縁に付された基準表示５２と合わせるように位置決めすることで、後述するように、ユーザの好みに応じた角度にすることができる。
【００３２】
第１アダプタ６の連結部６２は、第１軸線Ｘ１に沿って延びる四角筒状に形成されるとともに、下方に開口するネジ穴６２１を有しており、このネジ穴６２１には雌ネジが形成されている。そして、後述するように、この雌ネジには、固定部材９のネジ部９２がねじ込まれる。また、本体部６１と連結部６２との間の段部６５はテーパ状に傾斜するように形成されている。そして、上述したように、第１アダプタ６は、取付孔５１から、ヘッド１０の内部空間の第１領域５０１に挿入され、連結部６２のみが、フランジ部５０４から第２領域５０２側へ突出し、第２アダプタ７に連結される。なお、図６における第１アダプタ６の上端部が本発明の第１の端部に相当し、第１アダプタ６の下端部が本発明の第２の端部に相当する。
【００３３】
＜２．３  第２アダプタ＞
次に、第２アダプタ７について、図８を参照しつつ説明する。図８は、第２アダプタの平面図（ａ）、側面図（ｂ）、及び断面図（ｃ）である。同図に示すように、第２アダプタ７は、直方体状に形成されており、上面７１及び下面７２と、４つの面からなる外周面７３とで構成されている。外周面７３の４つ面の幅は、すべて同じになっている。すなわち、この第２アダプタ７は平面視正方形状に形成されている。また、第２アダプタ７の上面７１の４つの辺は、面取りがなされており、テーパ面７５が形成されている。
【００３４】
上述したように、第２アダプタ７は、ヘッド１０の内部空間の第２領域５０２に収容されるようになっており、第２領域５０２に収容された状態では、フランジ部５０４及び段部５０５により、軸方向の移動が規制されるようになっている。具体的には、第２領域５０２の内壁面が、第２アダプタ７の外周面７３と対応するように形成されている。すなわち、第２アダプタ７の挿入方向に平行な外周面７３の２つの面は、第２領域５０２の内壁面と接し、これによって第２アダプタ７は、回転不能に第２領域５０２に収容される。そして、第２アダプタ７の上面の３つのテーパ面７５（挿入方向前方側のテーパ面、及び挿入方向に平行な２つのテーパ面）が、第２領域５０２及び挿入空間４１の上面に形成された３つのテーパ面５０２１とそれぞれ当接する。これにより、第２アダプタ７が挿入方向と垂直な方向（フェース−バック方向）にずれるのを防止することができる。また、第２アダプタ７の外周面７３は平面視正方形状であるため、第２アダプタ７は、第２領域５０２に対して、４つの回転位置のいずれかで収容することができる。
【００３５】
また、第２アダプタ７には、上下方向に延びる貫通孔７０が形成されている。そして、第２アダプタ７は、上面７１及び下面７２に対して垂直に延びる第１軸線Ｙ１を軸心とし、貫通孔は、第１軸線Ｙ１と約１度の角度で交差する第２軸線Ｙ２に沿って延びる円筒状の内壁面を有している。
【００３６】
貫通孔７０は、３つの領域に分けられており、上面７１側から軸方向に並ぶ第１領域（第２連結部）７０１，第２領域７０２，及び第３領域７０３を有している。第１領域７０１は、上面７１において開口し、第１アダプタ６の連結部６２が着脱自在に挿入される。そのため、第１領域７０１の内部形状は第１アダプタ６の連結部６２の外部形状とほぼ同じ四角筒状になっている。そして、第１領域７０１の軸線Ｙ２は、軸線Ｙ１に対して約１度傾斜しているため、これに取り付けられる第１アダプタ６は、第２アダプタ７に対し傾斜して延びるように固定される。このとき、第１アダプタ６の連結部６２及び第２アダプタ７の第１領域７０１は、ともに四角筒状に形成されているため、第１アダプタ６の連結部６２は、第２アダプタ７に対して、４通りの回転位置で連結される。
【００３７】
また、第２アダプタ７は、外周面が平面視正方形状であるため、４つの回転位置のいずれかでヘッド１０の第２領域５０２に収容される。そして、第１アダプタ６は、第２アダプタ７のこの４つの回転位置のいずれであっても連結される。そのため、第２アダプタ７は、ヘッド１０の第２領域５０２に収容されているとき、第１アダプタ６を４通りの角度で傾斜して連結する。なお、第１アダプタ６の第１軸線Ｘ１と第２アダプタ７の第２軸線Ｙ２は同軸である。従って、第１アダプタ６の第２軸線Ｘ２と第２アダプタ７の第２軸線Ｙ２とは、平行ではなく、両アダプタ６，７が連結されたときに交差するように構成されている。
【００３８】
第３領域７０３は、第２アダプタ７の下面７２において開口し、ワッシャ８が嵌め込まれる内径を有するとともに、ワッシャ８の一部が嵌まる深さとなるように形成されている。したがって、ワッシャ８が第３領域７０３に嵌め込まれたときには、ワッシャ８の一部が第２アダプタ７の下面７２からやや突出した状態となる。そして、第２領域７０２は、第１領域７０１と第３領域７０３とを連通させる領域であり、第１領域７０１及び第３領域７０３よりも小径に形成されている。こうして形成される貫通孔７０の第１領域７０１，第２領域７０２及び第３領域７０３は、第２軸線Ｙ２に沿って延びている。なお、図７における第２アダプタ７の上面７１が本発明の第１の端部に相当し、第２アダプタ６の下面が本発明の第２の端部に相当する。
【００３９】
＜２．４  固定部材及びワッシャと第２アダプタとの連結＞
固定部材９は、頭部９１とネジ部９２とを備えており、図５に示すように、頭部９１にてワッシャ８を押圧し、ネジ部９２が、第２アダプタ７の下面側から、第３領域７０３及び第２領域７０２を貫通して、第１領域７０１内に延びるようになっている。そして、ネジ部９２は、第１領域７０１に挿入された第１アダプタ６の連結部６２にネジ留めされる。ここで、第２アダプタの第３領域７０３において、ワッシャ８が配置される面は、第２軸線Ｙ２と直交するように形成されている。これは、第２アダプタ７に連結された第１アダプタ６が第２軸線Ｙ２に沿って延びるためであり、ワッシャ８及び固定部材９は、この第１アダプタ６の延びる方向に対応して、これを強固に固定するように構成されている。
【００４０】
なお、上記連結構造で用いる各アダプタ６，７は、種々の材料で形成できるが、例えば、Ｔｉ（６−４Ｔｉ）、Ａｌ（Ａ７０７５）などで形成することができる。
【００４１】
＜３．シャフトとゴルフクラブヘッドとの組立て＞
次に、上記のように構成されたゴルフクラブの組立て方法について説明する。まず、サイド部４のサイド開口部４２から第２アダプタ７を挿入する。このとき、第２アダプタ７の上面７１を取付孔５１側、下面７２をソール開口部３１側に向けた上で、回転位置を適宜決定し、所望の回転位置で、第２アダプタ７をサイド開口部４２から第２領域５０２へ押し込む。続いて、シャフト２０が固定された第１アダプタ６を、連結部６２を下方に向けてホーゼル部５の取付孔５１に挿入する。このとき、第１アダプタ６の大径部６３の回転位置表示６５のいずれかを、取付孔５１周縁の基準表示５２に位置決めする。こうして、第１アダプタ６の連結部６２が、内部空間の第２領域５０２に挿入され、上述した４つの回転角度のいずれかで第２アダプタ７の貫通孔７０に連結される。続いて、ワッシャ８を固定部材９のネジ部９２に挿通し、頭部９１に係合させた後、固定部材９をソール開口部３１から挿入する。これにより、ワッシャ８が第２アダプタ７の第３領域７０３に配置されるとともに、ネジ部９２が第２アダプタ７の下面７２側から貫通孔７０に挿入され、第１アダプタ６の連結部６２にネジ留めされる。こうして、第１アダプタ６と第２アダプタ７とがホーゼル部５に固定される。このとき、第１アダプタ６は、移行部６４において、取付孔５１の内壁面に当接するが、第１アダプタ６の段部６６はフランジ部５０４とは当接せず、段部６６とフランジ部５０４との間に隙間が形成される（図５参照）。一方、第２アダプタ７の上面は、固定部材９を第１アダプタ６にねじ込むことで、フランジ部５０４の下面に押し付けられる。
【００４２】
＜４．特徴＞
以上のようにシャフト２０とヘッド１０とを固定したとき、シャフト２０は、第１アダプタ６に対して約１度傾斜した状態で固定される。また、第１アダプタ６は、第２アダプタ７に対して約１度傾斜した状態で固定される。したがって、シャフト２０は、第２アダプタ７に対して、最大約２度傾斜した状態で固定されることになる。このように、第１アダプタ６は、第２アダプタ７に対して、いずれかの回転位置で傾斜して固定されるが、第１アダプタ６が収容される内部空間の第１領域５０１がテーパ状に形成されているため、第１アダプタ６がいずれの回転位置で第２アダプタ７に固定されても、第１アダプタ６が第１領域５０１の内壁面と干渉しないようになっている。
【００４３】
ここで、第２アダプタ７の回転位置を固定したまま、第２アダプタ７に対する第１アダプタ６の回転位置を変更すると、ヘッド１０に対するシャフト２０の取付角度が変更されるため、ライ角、ロフト角、及びフェース角を変更することができる。そして、第２アダプタ７の回転位置、つまり第２領域５０２に対する収容の向きを変更することで、さらに細かくライ角、ロフト角、フェース角を変更することができる。例えば、第２アダプタ７に対する第１アダプタ６の回転角度が４種類、第２アダプタ７の第２領域５０２に対する回転角度が４種類であれば、合計１６種類のライ角、ロフト角、フェース角の組み合わせに変更することができる。
【００４４】
このとき、第１アダプタ６の大径部６３には基準位置６５が施され、外部に露出しているので、ユーザは、第１アダプタ６の回転位置がどこであるかということを容易に視認することができる。また、サイド開口部４２を介して、第２領域５０２に配置されている第２アダプタ７の外周面７３を視認することができるため、例えば、第２アダプタ７の外周面７３の各面に表示を施しておけば、ユーザは、その表示を確認することで、第２アダプタ７の回転位置を視認することができる。したがって、ユーザは、連結構造を分解することなく、第１アダプタ６の回転位置及び第２アダプタ７の回転位置を確認することができ、これによって、このゴルフクラブのライ角、ロフト角、及びフェース角を確認することができる。特に、サイド開口部４２側（ヒール側）からヘッド１０を見れば、第２アダプタ７の回転位置とともに、ホーゼル部５の基準表示５２、第１アダプタの回転位置表示６５が視認できるため、一方向から一目で、このゴルフクラブのライ角等を確認することができる。なお、回転位置表示、基準位置は特には区別されるものではなく、回転位置の位置合わせができれば、特には限定されない。すなわち、何らかの表示がなされていればよい。
【００４５】
また、ソール部３に形成されたソール開口部３１は、ワッシャ８及び固定部材９を挿入するために設けられているため、これらが第２アダプタ７の第２軸線Ｙ２に沿って挿入可能な大きさに形成すればよい。したがって、ソール開口部３１及びこれに続く内部空間の第３領域５０３を小型化することができる。これにより、第３領域５０３の表面積が小さくなり、ソール部３の面積が増加する。そのため、ヘッド１０の重量がソール面寄りに多く配置され、ヘッドの１０の重心が高くなるのを抑制することができる。
【００４６】
＜５．変形例＞
以上、本発明の一実施形態について説明したが、本発明は上記実施形態に限定されるものではなく、その趣旨を逸脱しない限りにおいて、種々の変更が可能である。例えば、以下の変更が可能である。
【００４７】
＜５．１＞
第２アダプタ７は、種々の態様があり、例えば、第２アダプタ７が、ヘッドの第２領域５０２からサイド開口部４２側へ離脱しないように、図９に示すようにすることができる。図９（ａ）に示すように、第２アダプタ７の外周面の１つに、板状の蓋部９５を取り付ける。この蓋部９５は、外周面７３の一端部と同じ幅になっており、これを外周面７３からずれるように配置する。これにより、蓋部９５の一端部を外周面７３から突出させるとともに、蓋部９５の他端部側には外周面７３との間に段部９６が形成されるようにする。そして、まず、図９（ｂ）に示すように、蓋部９５が取り付けられた側とは反対側の面をサイド開口部４２から挿入する。これにより、外周面７３から突出した蓋部９５の一端部がサイド開口部４２の開口周縁に引っかかる。次に、図９（ｃ）に示すように、第２アダプタ７を水平方向にずらし、蓋部９５がサイド開口部４２と一致するようにする。これに続いて、第２アダプタ７を内部空間側に押し込めば、上述した段部９６が抜け止めになって、第２アダプタ７が、第２領域７０２から離脱するのを防止することができる。但し、この態様では、第２アダプタ７が第２領域５０２内で複数の回転位置をとることができないため、第１アダプタ６の回転位置のみを調整することになる。
【００４８】
＜５．２＞
上記実施形態では、第２アダプタ７自体を回転させることで、第２領域５０２内での回転位置を決めていたが、例えば、図１０に示すようにすることもできる。すなわち、第２アダプタ７に、貫通孔７０が形成された円形部材９７を、回転自在に取り付け、この円形部材９７を回転させることで、第２領域５０２内での貫通孔７０の傾斜の向きを決定することができる。このとき、円形部材９７内の貫通孔７０は、例えば、円形部材９７の中心に対して偏心した位置に形成することができる。また、図９に示す態様において、このように構成すると、第２アダプタ７の貫通孔７０の傾斜角度を、第２領域５０１内で調整することができる。
【００４９】
＜５．３＞
上記実施形態では、第２アダプタ７の貫通孔７０の第２軸線Ｙ２が第１軸線Ｙ１に対して傾斜しているため、第２アダプタ７を第１軸線Ｙ１回りに回転させれば、これと連結される第１アダプタ６の傾斜角度を変更することができた。これに対して、例えば、第１アダプタ６の連結部６２が挿入される貫通孔を、直方体状の第２アダプタ７の複数の面に形成すれば、さらに多数の傾斜角度で第１アダプタ６と第２アダプタ７とを連結することができる。例えば、図１１（ａ）に示すように、第２アダプタの３つの面に、傾斜角度が異なる貫通孔７０ａ，７０ｂ，７０ｃをそれぞれ形成することができる。図１１（ｂ）の例では、２つの面に傾斜角度が異なる貫通孔７０ａ，７０ｂを形成している。この場合、各貫通孔７０ａ，７０ｂ，７０ｃが第１領域５０１を向いた状態で、第２領域５０２に挿入できるように、第２アダプタ７及び第２領域５０１、挿入空間４１を設計しておく必要がある。なお、貫通孔を形成するのは、第２アダプタ７の２または３の外面であればよい。さらに、すべての貫通孔が傾斜している必要はなく、少なくとも１つが各面と垂直であってもよい。
【００５０】
＜５．４＞
上記実施形態では、ヘッドの内部空間において、フランジ部５０４によって取付孔５１側への第２アダプタ７の移動を規制しているが、第２アダプタ７の移動を規制する方法は、これに限定されるものではない。例えば、図１２に示すように、第２アダプタ７の横断面の長さ（例えば、同図の左右方向の長さ）を、第１領域５０１よりも長くするとともに、第２領域５０２の横断面の長さを第１領域５０１よりも長くすれば、フランジ部を設けなくても、第２アダプタ７が取付孔側に移動するのを制限することができる。但し、第２アダプタ７の移動を規制できるのであれば、これ以外の方法を用いてもよい。
【００５１】
＜５．５＞
第２アダプタ７を第２領域５０２にスムーズに収容できるように、第２アダプタ７と第２領域５０２との間には所定のクリアランスを形成することがある。このようなクリアランスを形成すると、第２アダプタ７をスムーズに着脱できるが、第２アダプタ７が第２領域５０２内で移動するおそれがある。そこで、上記実施形態では、第２アダプタ７の上面７１にテーパ面７５を形成し、第２領域５０２の内壁面に形成したテーパ面５０２１と当接させている。これにより、第２アダプタ７は、外周面が第２領域５０２の内壁面に接していなくても、テーパ面７５、５０２１同士が当接することで、位置決めを行うことができる。
【００５２】
上記実施形態では、第２領域５０２及び挿入空間４１の上面の３辺について、テーパ面５０２１を形成していたが、例えば、図１３に示すように、サイド開口部４２側にもテーパ面５０２２を形成することもできる。この場合、第２アダプタ７のテーパ面７５を、第２領域５０２内のサイド開口部４２側のテーパ面５０２２に当接させるためには、第２アダプタ７が、挿入空間４１から第２領域に挿入された後、第１領域５０１側へ軸方向に移動できるように、第２領域５０２の軸方向の長さを長くしておく必要がある。
【００５３】
なお、第２アダプタ７のテーパ面７５、第２領域５０２及び挿入空間４１のテーパ面５０２１、５０２２は、必ずしも必要ではなく、第２アダプタの外周面と、第２領域５０２及び挿入空間４１の内壁面とによって位置決めをしてもよい。
【００５４】
＜５．６＞
上記実施形態では、第２アダプタ７と固定部材９とを別体としているが、これを一体化することもできる。すなわち、第２アダプタ７の下面７２側に、固定部材９を回転可能に取り付けておくことができる。これにより、アダプタ７と固定部材９をセットでサイド開口４２から挿入する事が可能となる。この場合、固定部材９の頭部９１を、第２アダプタ７の下面に形成した凹部に収容し、外部に突出しないようにすることもできる。
【００５５】
＜５．７＞
上記実施形態では、第２アダプタ７を直方体状に形成し、ヘッド１０の内部空間の第２領域５０２をこれに対応するような形状にしているが、これに限定されるものではない。すなわち、第２アダプタ７を複数の回転位置で、ヘッドの第２領域５０２に収容できるのであれば、これらの形態は特には限定されない。例えば、第２アダプタ７を平面視多角形状に形成することもできる。あるいは、第２アダプタ７を平面視円形にするとともに、少なくとも１つの突部または凹部を形成し、これを第２領域５０２に係合させることにより、第２領域５０２内において複数の回転位置で収容させることもできる。さらに、第２アダプタ７の形状と、第２領域５０２の内部形状が同一でなくてもよく、上記のように、第２アダプタ７が第２領域５０２内において、複数の回転位置で収容できればよい。例えば、第２領域５０２を直方体状に形成し、第２アダプタ７を平面視八角形状に形成することもできる。
【００５６】
＜５．８＞
上記実施形態における第２アダプタ７とは、貫通孔７０の傾斜角度の異なる少なくとも１つの第３アダプタを準備しておくこともできる。この第３アダプタは、貫通孔７０の傾斜角度以外は、第２アダプタ７と同一構成である。なお、この第３アダプタの貫通孔の傾斜角度は０度でもよい。このような第３アダプタを準備しておけば、さらに多様な傾斜角度で、シャフト２０とヘッド１０とを連結することができる。この場合、第２アダプタ７及び第３アダプタのうち、ヘッド１０の内部空間に収容するもの以外は、例えば、ヘッドのウエイトとして利用できるように構成してもよい。すなわち、ヘッド１０の表面に凹部を形成し、この凹部に利用しない第２アダプタまたは第３アダプタを収容しておけば、これらを紛失するのを防止することができる。
【００５７】
この場合、第３アダプタ用の固定部材を準備しておき、第３アダプタをこの固定部材によって凹部内に固定することもできる。また、第２アダプタ７と第３アダプタとを比重の異なる材料で形成し、凹部をヘッド１０の内部空間とは離間した位置、例えば、ソール部３やサイド部４のトゥ側やバック側に配置することで、重心位置の調整を行うようにすることもできる。これにより、シャフト２０の角度調整用の部材と、重心調整用の部材とを兼用することができる。この場合、第３アダプタを複数準備することもでき、例えば、第２アダプタ７と貫通孔の傾斜角度が異なるものを少なくとも１つ準備し、第２アダプタ７と貫通孔の傾斜角度は同じであるが比重の異なるものを少なくとも１つ準備するようにすることもできる。
【００５８】
＜５．９＞
上記実施形態では、第１アダプタ６の連結部６２を四角筒状に形成し、第２アダプタ７の貫通孔７０の第１領域７０１を同様に四角筒状に形成することで、両者を４つの回転位置で連結できるようにしているが、これに限定されない。すなわち、連結部６２を多角筒状に形成し、４以外の回転位置での連結をすることもできる。また、連結部６２を軸方向に延びる突部を有する円筒状に形成するとともに、第１領域７０１の内壁面に溝を形成することで、両者をスプライン結合することもできる。
【００５９】
＜５．１０＞
また、上記実施形態では、第１アダプタ６の連結部６２を突部として形成し、第２アダプタ７に、これを受け入れる貫通孔７０を形成しているが、両アダプタの連結構造は、これに限定されない。例えば、第２アダプタ７の上端部に筒状の突部を形成し、第１アダプタ６の下端部に、これを受け入れる凹部を形成することもできる。すなわち、本発明における第１アダプタ６の第１連結部と、第２アダプタの第２連結部とは、種々の態様で連結することができる。
【００６０】
＜５．１１＞
上記実施形態では、シャフト２０を第１アダプタ６に対して１度傾斜させ、さらに第１アダプタ６を第２アダプタ７に対して１度傾斜させているが、この角度は特には限定されない。また、２つの角度を異なるものとしてもよい。
【００６１】
＜５．１２＞
上記実施形態では、第１アダプタ６の外周面を第１軸線Ｘ１と平行に形成し、シャフト用凹部６１１を第１軸線Ｘ１と交差する第２軸線Ｘ２に沿って形成しているが、例えば、第１アダプタ６を図１４に示すように形成することもできる。同図に示すように、この例では、第１アダプタ６の本体部６１を連結部６２に対して傾斜させている。すなわち、連結部６２を第１軸線Ｘ１に沿うように形成し、本体部６１の外周面を第２軸線Ｘ２に沿って形成している。また、本体部６１に形成されるシャフト用凹部６１１も第２軸線Ｘ２に沿って延びるように形成している。このように構成しても、シャフト２０の軸心Ｓは第２軸線Ｘ２に沿うため、シャフト２０を第１アダプタ６に対して傾斜して固定することができる。これにより、第１アダプタ６の連結部６２は、第２アダプタ７の貫通孔７０に対して傾斜して連結されるように構成される。
【００６２】
＜５．１３＞
上記のように構成されたゴルフクラブヘッドは、中空構造であるため、一般的には、２以上の部材を接合することにより製造される。すなわち、中空部に通じる１または２以上の開口が形成されたヘッド本体と、開口を塞ぐ別部材とを接合することで製造される。例えば、クラウン部２やフェース部１のみを別部材で構成して、これをヘッド本体と組み合わせたり、あるいはソール部３やサイド部４に開口を設けたヘッド本体を形成し、この開口を別部材で塞ぐことでヘッドを構成することもできる。そして、このようなヘッド本体は、例えば、公知のロストワックス精密鋳造法などの鋳造によって製造することができる。また、近年の技術発達により、３Ｄプリンタやメタルインジェクションモールディング等を使用して、中空構造のゴルフクラブヘッドを、１つのパーツで一体成形することも可能である。
【００６３】
上記実施形態では、ウッド型のゴルフクラブを例にして説明したが、アイアン型にゴルフクラブに対しても適用可能である。すなわち、アイアン型のヘッドのような中空構造ではないヘッドに対し、上述した内部空間を形成することで、本発明の連結構造を適用可能である。特に、アイアン型のゴルフクラブでは、ソール部の面積が小さいため、ソール部に形成するソール部開口３１を小さくできる本発明の連結構造を採用すると有利である。
【００６４】
＜５．１４＞
上記実施形態では、第２アダプタを収容するサイド開口部４２を、ヘッドのサイド部４に形成しているが、この開口部は、ホーゼル部５の取付孔５１と、ソール部３に形成されたソール開口部３１との間のいずれかの位置に形成されていればよく、サイド部４に限定されるものではない。
【符号の説明】
【００６５】
１０  ゴルフクラブヘッド
２０  シャフト
３１  ソール開口部（第２開口部）
４２  サイド開口部（第３開口部）
５  ホーゼル部
５１  取付孔（第１開口部）
６  第１アダプタ
７  第２アダプタ
９  固定部材
【図１】
0006363479.tif 000002
【図２】
0006363479.tif 000003
【図３】
0006363479.tif 000004
【図４】
0006363479.tif 000005
【図５】
0006363479.tif 000006
【図６】
0006363479.tif 000007
【図７】
0006363479.tif 000008
【図８】
0006363479.tif 000009
【図９】
0006363479.tif 000010
【図１０】
0006363479.tif 000011
【図１１】
0006363479.tif 000012
【図１２】
0006363479.tif 000013
【図１３】
0006363479.tif 000014
【図１４】
0006363479.tif 000015